(57)【特許請求の範囲】
【請求項１】
検査項目毎に、検査項目名称、前記検査項目を特定するための臨床検査項目分類コード、および、レセプト請求のための診療行為コードが登録された紐付け用マスタを記憶し、前記検査項目毎に、前記検査項目名称、前記臨床検査項目分類コード、および、前記診療行為コードのいずれかに加えて検査機関項目コードが登録された検査用マスタを記憶する記憶部と、
前記検査用マスタの検査項目毎に、前記検査用マスタに前記紐付け用マスタの臨床検査項目分類コードと一致する臨床検査項目分類コードが登録されているか否かを判定し、当該臨床検査項目分類コードが登録されていると判定した場合、前記検査用マスタに含まれる情報と前記紐付け用マスタに含まれる情報との紐付けを行い、当該紐付けられた診療行為コードおよび検査機関項目コードを検査依頼用のコードとして検査依頼情報を生成する制御部と、
を備える検査依頼情報生成装置。
【請求項２】
前記制御部は、特定の検査項目について、前記検査用マスタに前記紐付け用マスタの臨床検査項目分類コードと一致する臨床検査項目分類コードが登録されていないと判定した場合、前記特定の検査項目について、前記検査用マスタに前記紐付け用マスタの診療行為コードと一致する診療行為コードが登録されているか否かを判定し、当該診療行為コードが登録されていると判定した場合、前記検査用マスタに含まれる情報と前記紐付け用マスタに含まれる情報との紐付けを行い、当該紐付けられた診療行為コードおよび検査機関項目コードを前記検査依頼用のコードとして検査依頼情報を生成する請求項１に記載の検査依頼情報生成装置。
【請求項３】
前記制御部は、前記特定の検査項目について、前記検査用マスタに前記紐付け用マスタの診療行為コードと一致する診療行為コードが登録されていないと判定した場合、前記特定の検査項目について、前記検査用マスタに前記紐付け用マスタの検査項目名称と一致または類似する検査項目名称が登録されているか否かを判定し、当該検査項目名称が登録されていると判定した場合、当該検査項目名称をすべて表示する制御を行い、さらに１つの検査項目名称の選択を受け付け、選択された検査項目名称に対応する前記検査用マスタに含まれる情報と前記紐付け用マスタに含まれる情報との紐付けを行い、当該紐付けられた診療行為コードおよび検査機関項目コードを前記検査依頼用のコードとして前記検査依頼情報を生成する請求項２に記載の検査依頼情報生成装置。
【請求項４】
前記制御部は、前記検査用マスタに登録されている前記検査項目名称を前記検査依頼情報に検査項目の名称として含めることにより前記検査依頼情報を生成する請求項１から３のいずれか１項に記載の検査依頼情報生成装置。
【請求項５】
前記記憶部は、前記検査用マスタを複数記憶し、
前記制御部は、前記複数の検査用マスタに登録されている複数の臨床検査項目分類コードが一致するが、該複数の検査用マスタに登録されている複数の診療行為コードが一致しない場合、該複数の診療行為コードを表示する制御を行い、さらに１つの診療行為コードの選択を受け付け、選択された診療行為コードを前記複数の臨床検査項目分類コードと一致する前記紐付け用マスタの臨床検査項目分類コードに対応付けて前記紐付け用マスタに登録する請求項１から４のいずれか一項に記載の検査依頼情報生成装置。
【請求項６】
前記制御部は、前記検査用マスタと前記紐付け用マスタとに一致する臨床検査項目分類コードが登録されていると判定したが、該臨床検査項目分類コードに対応する診療行為コードが前記検査用マスタに登録されていない場合、前記臨床検査項目分類コードが前記検査用マスタの臨床検査項目分類コードに一致する紐付け用マスタに登録されている診療行為コードおよび前記臨床検査項目分類コードが前記紐付け用マスタの臨床検査項目分類コードに一致する検査用マスタに登録されている検査機関項目コードを前記検査依頼用のコードとして前記検査依頼情報を生成する請求項１から５のいずれか一項に記載の検査依頼情報生成装置。
【請求項７】
前記制御部は、前記検査用マスタに前記紐付け用マスタの臨床検査項目分類コードと一致する臨床検査項目分類コードが登録されていると判定したが、一致した臨床検査項目分類コードに対応する診療行為コードが前記検査用マスタと前記紐付け用マスタとで一致しない場合、確認メッセージを表示する制御を行う請求項１から６のいずれか一項に記載の検査依頼情報生成装置。
【請求項８】
前記制御部は、前記記憶部に記憶されている前記紐付け用マスタにおける前記臨床検査項目分類コードを更新し、前記検査用マスタに前記臨床検査項目分類コードが更新された紐付け用マスタの臨床検査項目分類コードと一致する臨床検査項目分類コードが登録されているか否かを判定し、当該臨床検査項目分類コードが登録されていないと判定した場合、確認メッセージを表示する制御を行う請求項１から７のいずれか一項に記載の検査依頼情報生成装置。
【請求項９】
検査項目毎に、検査項目名称、前記検査項目を特定するための臨床検査項目分類コード、および、レセプト請求のための診療行為コードが登録された紐付け用マスタと、前記検査項目毎に、前記検査項目名称、前記臨床検査項目分類コード、および、前記診療行為コードのいずれかに加えて検査機関項目コードが登録された検査用マスタとを用いて、コンピュータによって検査依頼情報を生成する検査依頼情報生成方法であって、
前記検査用マスタの検査項目毎に、前記検査用マスタに前記紐付け用マスタの臨床検査項目分類コードと一致する臨床検査項目分類コードが登録されているか否かを判定するステップと、
当該臨床検査項目分類コードが登録されていると判定した場合、前記検査用マスタに含まれる情報と前記紐付け用マスタに含まれる情報との紐付けを行い、当該紐付けられた診療行為コードおよび検査機関項目コードを検査依頼用のコードとして検査依頼情報を生成するステップと、
を含む検査依頼情報生成方法。
【発明の詳細な説明】
【技術分野】
【０００１】
本発明は、検査依頼についての情報を生成する検査依頼情報生成装置および検査依頼情報生成方法に関する。
【背景技術】
【０００２】
従来、病院等の医療機関からウィルス検査や尿検査、血液検査などの検査を検査機関に依頼する検査依頼情報を作成し、作成した検査依頼情報を検査機関のサーバ装置にネットワークを介して送信するシステムが利用されている。
【０００３】
例えば、特許文献１には、検査項目を入力する検査項目入力装置であって、操作を簡略化し、迅速に検査項目を入力可能とする装置が開示されている。
【先行技術文献】
【特許文献】
【０００４】
【特許文献１】特許第３１４８３４１号公報
【発明の概要】
【発明が解決しようとする課題】
【０００５】
医療機関から依頼を受けて各種の検査を行う検査機関では、各検査項目に独自のコードを付与してデータの管理を行っている。そのため、上述したシステムに検査依頼情報を送信する機能を導入する際には、検査機関は、医療機関ごとに自らが使用する独自コードの情報を含む検査用マスタを作成し、医療機関は、その独自コードとレセプト請求用の情報とを手作業で紐付けて電子カルテ装置に入力する作業をおこなっていた。しかしこの作業には膨大な時間がかかるため、このような作業を効率的に行う技術の開発が望まれていた。
【０００６】
本発明は、検査機関の独自の情報と医療機関が有する情報とを容易に紐付け、それにより検査依頼情報を容易に生成することを可能にする検査依頼情報生成装置および検査依頼情報生成方法を提供することを目的とする。
【課題を解決するための手段】
【０００７】
本発明の検査依頼情報生成装置は、検査項目毎に、検査項目名称、検査項目を特定するための臨床検査項目分類コード、および、レセプト請求のための診療行為コードのいずれかが少なくとも登録された紐付け用マスタを記憶し、検査項目毎に、検査項目名称、臨床検査項目分類コード、および、診療行為コードのいずれかが少なくとも登録された検査用マスタを記憶する記憶部と、検査用マスタの検査項目毎に、検査用マスタと紐付け用マスタとに一致する臨床検査項目分類コードが登録されているか否かを判定し、当該臨床検査項目分類コードが登録されていると判定した場合、検査用マスタに含まれる情報と紐付け用マスタに含まれる情報との紐付けを行い、検査用マスタの診療行為コードを検査依頼用のコードとして検査依頼情報を生成する制御部と、を備える。
【０００８】
本発明の検査依頼情報生成方法は、検査項目毎に、検査項目名称、検査項目を特定するための臨床検査項目分類コード、および、レセプト請求のための診療行為コードのいずれかが少なくとも登録された紐付け用マスタと、検査項目毎に、検査項目名称、臨床検査項目分類コード、および、診療行為コードのいずれかが少なくとも登録された検査用マスタとを用いて検査依頼情報を生成する検査依頼情報生成方法であって、検査用マスタの検査項目毎に、検査用マスタと紐付け用マスタとに一致する臨床検査項目分類コードが登録されているか否かを判定するステップと、当該臨床検査項目分類コードが登録されていると判定した場合、検査用マスタに含まれる情報と紐付け用マスタに含まれる情報との紐付けを行い、検査用マスタの診療行為コードを検査依頼用のコードとして検査依頼情報を生成するステップと、を含む。
【発明の効果】
【０００９】
本発明によれば、検査機関の独自の情報と医療機関が有する情報とを容易に紐付け、それにより検査依頼情報を容易に生成することができる。
【図面の簡単な説明】
【００１０】
【図１】本発明に係る検査依頼システムの構成の一例を示す機能ブロック図
【図２】紐付け用マスタの一例を示す図
【図３】検査用マスタの一例を示す図
【図４】作成情報の一例を示す図
【図５】検査依頼情報の一例を示す図
【図６】本実施の形態に係る作成情報の生成処理の処理手順の一例を示すフローチャート
【発明を実施するための形態】
【００１１】
以下、本発明の実施の形態について、図面を参照して詳細に説明する。
【００１２】
まず、本発明に係る検査依頼システムの構成の一例について説明する。図１は、本発明に係る検査依頼システムの構成の一例を示す機能ブロック図である。図１に示すように、この検査依頼システムは、検査依頼情報生成装置１０と検査機関サーバ２０とがネットワーク３０を介して接続されている。
【００１３】
検査依頼情報生成装置１０は、病院等の医療機関に設置され、ウィルス検査や尿検査、血液検査などの検査を検査機関に依頼する検査依頼情報を生成し、生成した検査依頼情報を検査機関に設置された検査機関サーバ２０に送信する装置である。また、検査依頼情報生成装置１０は、検査機関サーバ２０により送信された後述する検査用マスタ１３ｂや検査結果の情報を受信し、受信した情報の記憶や表示を行う。
【００１４】
検査依頼情報生成装置１０は、入力部１１、表示部１２、記憶部１３、制御部１４を備える。
【００１５】
入力部１１は、キーボードやマウス、タッチパネルなどの入力デバイスである。表示部１２は、ディスプレイなどの表示デバイスである。
【００１６】
記憶部１３は、ハードディスク装置やメモリなどの記憶デバイスである。記憶部１３は、紐付け用マスタ１３ａ、検査用マスタ１３ｂ、作成情報１３ｃ、個人データ１３ｄ、検査依頼情報１３ｅ、検査結果情報１３ｆなどを記憶する。
【００１７】
紐付け用マスタ１３ａは、検査項目毎に、検査項目名称、検査項目を特定するための臨床検査項目分類コード、および、レセプト請求をするための診療行為コードのいずれかが少なくとも登録されたマスタデータである。
【００１８】
紐付け用マスタ１３ａは、例えば、日本臨床検査医学会が制定した標準臨床検査マスタなどを基にして生成される。紐付け用マスタ１３ａに含まれる情報は、検査機関から入手した検査用マスタ１３ｂに含まれる情報と紐付けられる。
【００１９】
図２は、紐付け用マスタ１３ａの一例を示す図である。紐付け用マスタ１３ａは、名称、臨床検査項目分類コード、および、診療行為コードを含む。なお、紐付け用マスタ１３ａは、これ以外の情報を含んでいてもよい。
【００２０】
検査項目名称は、検査項目の名称である。臨床検査項目分類コードは、例えば、日本臨床検査医学会が制定したＪＬＡＣ１０コードなどの検査項目を特定するコードである。診療行為コードは、例えば、レセプト請求のための、厚生労働省が制定したレセプト電算処理システム用コードにおける検査項目などの診療行為を特定するコードである。
【００２１】
検査用マスタ１３ｂは、検査項目毎に、検査項目名称、臨床検査項目分類コード、および、診療行為コードのいずれかが少なくとも登録されたマスタデータである。検査用マスタ１３ｂは、検査機関が使用する独自コードの情報が含まれるマスタデータであり、例えば、検査機関サーバ２０からネットワーク３０を介して受信するなどして検査機関から入手される。
【００２２】
図３は、検査用マスタ１３ｂの一例を示す図である。検査用マスタ１３ｂは、検査項目名称、臨床検査項目分類コード、診療行為コード、および、検査機関項目コードを含む。なお、検査用マスタ１３ｂは、これ以外の情報を含んでいてもよい。
【００２３】
検査項目名称、臨床検査項目分類コード、および、診療行為コードは、図２で説明した検査項目名称、臨床検査項目分類コード、および、診療行為コードと同様のものである。検査機関項目コードは、検査機関が検査項目を特定するために独自に使用するコードである。
【００２４】
作成情報１３ｃは、紐付け用マスタ１３ａに含まれる情報と検査用マスタ１３ｂに含まれる情報との紐付けの結果得られる情報である。
【００２５】
図４は、作成情報１３ｃの一例を示す図である。作成情報１３ｃは、検査項目名称、臨床検査項目分類コード、診療行為コード、および、検査機関項目コードを含む。なお、作成情報１３ｃは、これ以外の情報を含んでいてもよい。
【００２６】
検査項目名称、臨床検査項目分類コード、診療行為コード、および、検査機関項目コードは、図２、図３で説明した検査項目名称、臨床検査項目分類コード、診療行為コード、および、検査機関項目コードと同様のものである。
【００２７】
ここで、検査項目名称が「Ａ」、「Ｃ」の検査項目については、図２に示した紐付け用マスタ１３ａと、図３に示した検査用マスタ１３ｂとの間で臨床検査項目分類コードが一致している。この場合、図４に示した作成情報１３ｃには、一致した臨床検査項目分類コードに対応する検査用マスタ１３ｂに登録されていた検査項目名称、一致した臨床検査項目分類コード、一致した臨床検査項目分類コードに対応する検査用マスタ１３ｂに登録されていた診療行為コード、一致した臨床検査項目分類コードに対応する検査用マスタ１３ｂに登録されていた検査機関項目コードが登録される。
【００２８】
検査項目名称が「Ｂ」の検査項目については、検査用マスタ１３ｂに臨床検査項目分類コードが登録されていない。このような場合、紐付け用マスタ１３ａ、および、検査用マスタ１３ｂに登録されている診療行為コードを用いて、紐付け用マスタ１３ａに含まれる情報と検査用マスタ１３ｂに含まれる情報との紐付けが行われる。
【００２９】
具体的には、紐付け用マスタ１３ａと検査用マスタ１３ｂとの間で診療行為コードが一致している。この場合、図４に示した作成情報１３ｃには、一致した診療行為コードに対応する紐付け用マスタ１３ａに登録されていた臨床検査項目分類コード、一致した診療行為コード、一致した診療行為コードに対応する検査用マスタ１３ｂに登録されていた検査機関項目コードが登録される。
【００３０】
検査項目名称が「Ｄ」の検査項目については、検査用マスタ１３ｂに臨床検査項目分類コード、及び、診療行為コードが登録されていない。このような場合は、紐付け用マスタ１３ａに含まれる情報と検査用マスタ１３ｂに含まれる情報との間の紐付けが手動により行われる。
【００３１】
なお、ここでは、検査用マスタ１３ｂに臨床検査項目分類コードや診療行為コードが登録されていない場合について説明したが、検査用マスタ１３ｂに臨床検査項目分類コードや診療行為コードが登録されているものの、紐付け用マスタ１３ａに登録されている情報と一致しない場合も同様の処理が行われる。
【００３２】
また、ここでは、検査用マスタ１３ｂに臨床検査項目分類コードや診療行為コードが登録されていない場合について説明したが、紐付け用マスタ１３ａに臨床検査項目分類コードや診療行為コードが登録されていない場合も同様の処理が行われる。
【００３３】
個人データ１３ｄは、患者コードや氏名などの患者の個人データである。
【００３４】
検査依頼情報１３ｅは、ウィルス検査や尿検査、血液検査などの検査を検査機関に依頼するために検査機関サーバ２０に送信される情報である。検査機関は、検査依頼情報１３ｅを基にして行うべき検査を特定し、その検査を行う。
【００３５】
図５は、検査依頼情報１３ｅの一例を示す図である。検査依頼情報１３ｅは、患者情報、診療行為コード、検査項目名称、および、検査機関項目コードを含む。なお、検査機関情報１３ｅは、これ以外の情報を含んでいてもよい。
【００３６】
患者情報は、検査を受ける患者の患者コードや氏名などの情報である。この情報は、個人データ１３ｄに基づいて生成される。診療行為コード、検査項目名称、および、検査機関項目コードは、図４に示した診療行為コード、検査項目名称、および、検査機関項目コードと同様のものであり、これらの情報から生成される。
【００３７】
検査結果情報１３ｆは、検査機関が行った検査の結果を示す情報であり、検査機関サーバ２０からネットワーク３０を介して送信された情報である。
【００３８】
図１の説明に戻ると、制御部１４は、ＣＰＵ（Ｃｅｎｔｒａｌ  Ｐｒｏｃｅｓｓｉｎｇ  Ｕｎｉｔ）などの制御デバイスである。
【００３９】
例えば、制御部１４は、検査用マスタ１３ｂの検査項目毎に、検査用マスタ１３ｂと紐付け用マスタ１３ａとに一致する臨床検査項目分類コードが登録されているか否かを判定し、当該臨床検査項目分類コードが登録されていると判定した場合、検査用マスタ１３ｂに含まれる情報と紐付け用マスタ１３ａに含まれる情報との紐付けを行い、検査用マスタ１３ａの診療行為コードを検査依頼用のコードとして検査依頼情報１３ｅを生成する。
【００４０】
また、制御部１４は、特定の検査項目について、検査用マスタ１３ｂと紐付け用マスタ１３ａに一致する臨床検査項目分類コードが登録されていないと判定した場合、上記特定の検査項目について、検査用マスタ１３ｂと紐付け用マスタ１３ａとに一致する診療行為コードが登録されているか否かを判定し、診療行為コードが登録されていると判定した場合、検査用マスタ１３ｂに含まれる情報と紐付け用マスタ１３ａに含まれる情報との紐付けを行う。
【００４１】
さらに、制御部１４は、上記特定の検査項目について、検査用マスタ１３ｂと紐付け用マスタ１３ａとに一致する診療行為コードが登録されていないと判定した場合、上記特定の検査項目について、検査用マスタ１３ｂと紐付け用マスタ１３ａとに一致または類似する検査項目名称が登録されているか否かを判定し、一致または類似する検査項目名称が登録されていると判定した場合、これらの検査項目名称をすべて表示する制御を行う。ここで、検査項目名称が類似するとは、例えば、検査項目名称の所定文字以上が一致している場合をいい、類似の基準は予め設定される。
【００４２】
そして、制御部１４は、表示されたすべての検査項目名称の中から、ユーザが入力部１１を介して行う検査項目名称の選択を受け付け、選択された検査項目名称に対応する検査用マスタ１３ｂに含まれる情報と、選択された検査項目名称に対応する紐付け用マスタ１３ａに含まれる情報とを紐付けて、紐付けられた情報を作成情報１３ｃに登録する。
【００４３】
また、制御部１４は、検査用マスタ１３ｂに登録されている検査項目名称を検査依頼情報１３ｅに検査項目の名称として含めることにより検査依頼情報１３ｅを生成する。
【００４４】
つぎに、本実施の形態に係る作成情報１３ｃの生成処理の処理手順について説明する。図６は、本実施の形態に係る作成情報１３ｃの生成処理の処理手順の一例を示すフローチャートである。
【００４５】
まず、検査依頼情報生成装置１０の制御部１４は、紐付け用マスタ１３ａ、および、検査用マスタ１３ｂを記憶部１３から読み出す（ステップＳ１０１）。そして、制御部１４は、検査用マスタ１３ｂにおいて、未処理の検査項目を１つ選択する（ステップＳ１０２）。
【００４６】
続いて、制御部１４は、検査用マスタ１３ｂと紐付け用マスタ１３ａとに一致する臨床検査項目分類コードが登録されているか否かを判定する（ステップＳ１０３）。
【００４７】
検査用マスタ１３ｂと紐付け用マスタ１３ａとに一致する臨床検査項目分類コードが登録されている場合（ステップＳ１０３においてＹＥＳの場合）、制御部１４は、検査用マスタ１３ｂに含まれる情報と紐付け用マスタ１３ａに含まれる情報との紐付けを行い、紐付けられた情報を作成情報１３ｃに登録する（ステップＳ１０４）。
【００４８】
その後、制御部１４は、検査用マスタ１３ｂにおいて、すべての検査項目に対する処理が終了したか否かを判定する（ステップＳ１０５）。
【００４９】
すべての検査項目に対する処理が終了した場合（ステップＳ１０５においてＹＥＳの場合）、この作成情報１３ｃの生成処理を終了する。すべての検査項目に対する処理が終了していない場合（ステップＳ１０５においてＮＯの場合）、ステップＳ１０２に戻り、検査用マスタ１３ｂにおいて、未処理の検査項目が１つ選択される。
【００５０】
ステップＳ１０３において、検査用マスタ１３ｂと紐付け用マスタ１３ａとに一致する臨床検査項目分類コードが登録されていない場合（ステップＳ１０３においてＮＯの場合）、制御部１４は、検査用マスタ１３ｂと紐付け用マスタ１３ａとに一致する診療行為コードが登録されているか否かを判定する（ステップＳ１０６）。
【００５１】
検査用マスタ１３ｂと紐付け用マスタ１３ａとに一致する診療行為コードが登録されている場合（ステップＳ１０６においてＹＥＳの場合）、ステップＳ１０４において、検査用マスタ１３ｂに含まれる情報と紐付け用マスタ１３ａに含まれる情報との紐付けを行い、紐付けられた情報を作成情報１３ｃに登録する処理が実行される。その後、それ以降の処理が継続される。
【００５２】
検査用マスタ１３ｂと紐付け用マスタ１３ａとに一致する診療行為コードが登録されていない場合（ステップＳ１０６においてＮＯの場合）、制御部１４は、表示部１２を制御して、検査用マスタ１３ｂと紐付け用マスタ１３ａとで一致または類似する検査項目名称をすべて表示する制御を行う（ステップＳ１０７）。
【００５３】
そして、制御部１４は、表示されたすべての検査項目名称の中から、ユーザが入力部１１を介して行う検査項目名称の選択を受け付け、その検査項目名称に対応する検査用マスタ１３ｂに含まれる情報と、その検査項目名称に対応する紐付け用マスタ１３ａに含まれる情報とを紐付けて、紐付けられた情報を作成情報１３ｃに登録する（ステップＳ１０８）。
【００５４】
その後、ステップＳ１０５以降の処理が実行される。
【００５５】
なお、上述した検査用マスタ１３ｂは、複数の検査機関から収集されることとしてもよい。この場合、記憶部１３は、複数の検査用マスタ１３ｂを記憶する。そして、各検査用マスタ１３ｂに対して上述したような処理が行われ、検査機関ごとに作成情報１３ｃ、及び、検査依頼情報１３ｅが生成される。
【００５６】
また、制御部１４は、紐付け用マスタ１３ａにすべての情報が登録されていない場合などに、複数の検査用マスタ１３ｂを利用して、紐付け用マスタ１３ａに情報を登録するようにしてもよい。
【００５７】
例えば、制御部１４は、複数の検査用マスタ１３ｂに登録されている複数の臨床検査項目分類コードが一致するが、複数の検査用マスタ１３ｂに登録されている複数の診療行為コードが一致しない場合、複数の診療行為コードを表示部１２に表示する制御を行う。そして、制御部１４は、１つの診療行為コードの選択をユーザから受け付け、選択された診療行為コードを、複数の臨床検査項目分類コードと一致する紐付け用マスタ１３ａの臨床検査項目分類コードに対応付けて紐付け用マスタ１３ａに登録することとしてもよい。
【００５８】
また、上述した実施の形態では、制御部１４は、検査用マスタ１３ｂと紐付け用マスタ１３ａとに一致する臨床検査項目分類コードが登録されていると判定した場合、検査用マスタ１３ｂに登録されている診療行為コードを検査依頼用のコードとして検査依頼情報１３ｅに登録することとしたが、さらに以下のような処理を行うこととしてもよい。
【００５９】
具体的には、制御部１４は、検査用マスタ１３ｂと紐付け用マスタ１３ａとに一致する臨床検査項目分類コードが登録されていると判定したが、臨床検査項目分類コードに対応する診療行為コードが検査用マスタ１３ｂに登録されていない場合、紐付け用マスタ１３ａに登録されている診療行為コードを検査依頼用のコードとして、検査依頼情報１３ｅに登録することとしてもよい。
【００６０】
また、制御部１４は、検査用マスタ１３ｂと紐付け用マスタ１３ａとに一致する臨床検査項目分類コードが登録されていると判定したが、一致した臨床検査項目分類コードに対応する診療行為コードが検査用マスタ１３ｂと紐付け用マスタ１３ａとで一致しない場合、確認メッセージを表示部１２に表示する制御を行うこととしてもよい。
【００６１】
さらに、制御部１４は、記憶部１３に記憶されている紐付け用マスタ１３ａにおける臨床検査項目分類コードを更新し、検査用マスタ１３ｂと、臨床検査項目分類コードが更新された紐付け用マスタ１３ａとに一致する臨床検査項目分類コードが登録されているか否かを判定し、臨床検査項目分類コードが登録されていないと判定した場合、確認メッセージを表示部１２に表示する制御を行うこととしてもよい。
【００６２】
上述してきたように、本実施の形態における検査依頼情報生成装置１０の記憶部１３は、検査項目毎に、検査項目名称、検査項目を特定するための臨床検査項目分類コード、および、レセプト請求のための診療行為コードのいずれかが少なくとも登録された紐付け用マスタ１３ａを記憶し、上記検査項目毎に、上記検査項目名称、上記臨床検査項目分類コード、および、上記診療行為コードのいずれかが少なくとも登録された検査用マスタ１３ｂを記憶し、制御部１４は、検査用マスタ１３ｂの検査項目毎に、検査用マスタ１３ｂと紐付け用マスタ１３ａとに一致する臨床検査項目分類コードが登録されているか否かを判定し、臨床検査項目分類コードが登録されていると判定した場合、検査用マスタ１３ｂに含まれる情報と紐付け用マスタ１３ａに含まれる情報との紐付けを行い、検査用マスタ１３ｂの診療行為コードを検査依頼用のコードとして検査依頼情報１３ｅを生成する。
【００６３】
これにより、検査機関の独自の情報と医療機関が有する情報とを容易に紐付け、それにより検査依頼情報を容易に生成することができる。
【００６４】
また、制御部１４は、特定の検査項目について、検査用マスタ１３ｂと紐付け用マスタ１３ａとに一致する臨床検査項目分類コードが登録されていないと判定した場合、上記特定の検査項目について、検査用マスタ１３ｂと紐付け用マスタ１３ａとに一致する診療行為コードが登録されているか否かを判定し、診療行為コードが登録されていると判定した場合、検査用マスタ１３ｂに含まれる情報と紐付け用マスタ１３ａに含まれる情報との紐付けを行う。
【００６５】
これにより、検査用マスタ１３ｂと紐付け用マスタ１３ａとに一致する臨床検査項目分類コードが登録されていない場合でも、検査用マスタ１３ｂに含まれる情報と紐付け用マスタ１３ａに含まれる情報との紐付けを行うことができる。
【００６６】
また、制御部１４は、上記特定の検査項目について、検査用マスタ１３ｂと紐付け用マスタ１３ａとに一致する診療行為コードが登録されていないと判定した場合、上記特定の検査項目について、検査用マスタ１３ｂと紐付け用マスタ１３ｂとに一致または類似する検査項目名称が登録されているか否かを判定し、検査項目名称が登録されていると判定した場合、検査項目名称をすべて表示する制御を行う。
【００６７】
これにより、検査用マスタ１３ｂと紐付け用マスタ１３ａとに一致する臨床検査項目分類コードも診療行為コードもない場合であっても、ユーザは検査項目名称の表示に基づいて適切な対応を採ることができる。
【００６８】
また、制御部１４は、検査用マスタ１３ｂに登録されている検査項目名称を検査依頼情報１３ｅに検査項目の名称として含めることにより検査依頼情報１３ｅを生成する。
【００６９】
これにより、検査機関が使用する検査項目の名称が検査機関に伝達されるので、検査依頼情報１３ｅに含まれる情報の管理を検査機関が容易に行うことができる。
【００７０】
また、記憶部１３は、検査用マスタ１３ｂを複数記憶し、制御部１４は、複数の検査用マスタ１３ｂに登録されている複数の臨床検査項目分類コードが一致するが、複数の検査用マスタ１３ｂに登録されている複数の診療行為コードが一致しない場合、複数の診療行為コードを表示する制御を行い、さらに１つの診療行為コードの選択を受け付け、選択された診療行為コードを複数の臨床検査項目分類コードと一致する紐付け用マスタ１３ａの臨床検査項目分類コードに対応付けて紐付け用マスタ１３ａに登録する。
【００７１】
これにより、複数の検査用マスタ１３ｂを利用して、信頼性の高い情報を紐付け用マスタ１３ａに容易に登録することができる。
【００７２】
また、制御部１４は、検査用マスタ１３ｂと紐付け用マスタ１３ａとに一致する臨床検査項目分類コードが登録されていると判定したが、臨床検査項目分類コードに対応する診療行為コードが検査用マスタ１３ｂに登録されていない場合、紐付け用マスタ１３ａに登録されている診療行為コードを検査依頼用のコードとして検査依頼情報１３ｅを生成する。
【００７３】
これにより、臨床検査項目分類コードに対応する診療行為コードが検査用マスタ１３ｂに登録されていない場合であっても、診療行為コードを検査機関に伝達することができる。
【００７４】
また、制御部１４は、検査用マスタ１３ｂと紐付け用マスタ１３ａとに一致する臨床検査項目分類コードが登録されていると判定したが、一致した臨床検査項目分類コードに対応する診療行為コードが検査用マスタ１３ｂと紐付け用マスタ１３ａとで一致しない場合、確認メッセージを表示する制御を行う。
【００７５】
これにより、診療行為コードが検査用マスタ１３ｂと紐付け用マスタ１３ａとで異なるにもかかわらず、臨床検査項目分類コードが一致した場合に、ユーザがそれを容易に確認でき、適切に対処することができる。
【００７６】
また、制御部１４は、記憶部１３に記憶されている紐付け用マスタ１３ａにおける臨床検査項目分類コードを更新し、検査用マスタ１３ｂと臨床検査項目分類コードが更新された紐付け用マスタ１３ａとに一致する臨床検査項目分類コードが登録されているか否かを判定し、臨床検査項目分類コードが登録されていないと判定した場合、確認メッセージを表示する制御を行う。
【００７７】
これにより、臨床検査項目分類コードが最新のものに更新された場合などに、検査機関から入手した検査用マスタ１３ｂがそれに対応しているか否かを容易に確認することができる。
【００７８】
以上、本発明に係る実施形態について図面を参照して詳述してきたが、上述した各装置の機能は、コンピュータプログラムにより実現され得る。
【００７９】
上述した各装置の機能をプログラムにより実現するコンピュータは、キーボードやマウス、タッチパッドなどの入力装置、ディスプレイやスピーカーなどの出力装置、ＣＰＵ（Central Processing Unit）、ＲＯＭ（Read Only Memory）、ＲＡＭ（Random Access Memory）、ハードディスク装置やＳＳＤ（Solid State Drive）などの記憶装置、ＤＶＤ−ＲＯＭ（Digital Versatile Disk Read Only Memory）やＵＳＢ（Universal Serial Bus）メモリなどの記録媒体から情報を読み取る読取装置、ネットワークを介して通信を行うネットワークカードなどを備え、各部はバスにより接続される。
【００８０】
そして、読取装置は、上記各装置の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【００８１】
そして、ＣＰＵが、記憶装置に記憶されたプログラムをＲＡＭにコピーし、そのプログラムに含まれる命令をＲＡＭから順次読み出して実行することにより、上記各装置の機能が実現される。
【産業上の利用可能性】
【００８２】
本発明は、検査依頼についての情報を生成する検査依頼情報生成装置および検査依頼情報生成方法に好適である。
【符号の説明】
【００８３】
１０  検査依頼情報生成装置
１１  入力部
１２  表示部
１３  記憶部
１３ａ  紐付け用マスタ
１３ｂ  検査用マスタ
１３ｃ  作成情報
１３ｄ  個人データ
１３ｅ  検査依頼情報
１３ｆ  検査結果情報
１４  制御部
２０  検査機関サーバ
３０  ネットワーク
【図１】
0006679271.tif 000002
【図２】
0006679271.tif 000003
【図３】
0006679271.tif 000004
【図４】
0006679271.tif 000005
【図５】
0006679271.tif 000006
【図６】
0006679271.tif 000007